(57)【要約】【課題】両面に磁性層を有する磁気テープに対して情報を記録再生可能な構成を、低コストかつ小型に実現することができる磁気テープ装置を提供する。【解決手段】リール装着部と巻き取りリール２との間に配され、磁気テープ１１に情報を記録再生可能な単一の磁気ヘッド３と、リール１３から磁気テープ１１を引き出し、引き出した磁気テープ１１が所定の走行経路を形成するように磁気テープ１１を所定位置に配置させるローディング手段とを備え、ローディング手段は、磁気テープ１１の一方の磁性面１１ａが磁気ヘッド３に当接可能な位置に、磁気テープ１１を配置させた第１の走行経路と、磁気テープ１１の他方の磁性面１１ｂが磁気ヘッド３に当接可能な位置に、磁気テープ１１を配置させた第２の走行経路とを、選択的に形成可能とした。【選択図】図１Ａ
2009140536.tif 000002
【特許請求の範囲】
【請求項１】
リールに巻き回されかつ両面に磁性面が形成された磁気テープに、情報を記録再生可能な磁気テープ装置であって、
前記リールを装着可能なリール装着部と、
前記リールから引き出された前記磁気テープを巻き取り可能な巻き取りリールと、
前記リール装着部と前記巻き取りリールとの間に配され、前記磁気テープに情報を記録再生可能な単一の磁気ヘッドと、
前記リールから前記磁気テープを引き出し、引き出した前記磁気テープが所定の走行経路を形成するように前記磁気テープを所定位置に配置させるローディング手段とを備え、
前記ローディング手段は、
前記磁気テープの一方の磁性面が前記磁気ヘッドに当接可能な位置に、前記磁気テープを配置させた第１の走行経路と、
前記磁気テープの他方の磁性面が前記磁気ヘッドに当接可能な位置に、前記磁気テープを配置させた第２の走行経路とを、選択的に形成可能とした、磁気テープ装置。
【請求項２】
前記ローディング手段は、
前記第１の走行経路と前記第２の走行経路とにおいて、前記巻き取りリールに対する前記磁気テープの巻き取り方向が同一になるように、前記磁気テープを配置可能とした、請求項１記載の磁気テープ装置。
【発明の詳細な説明】
【技術分野】
【０００１】
本発明は、両面に磁性層を有する磁気テープに情報を記録再生可能な磁気テープ装置に関する。
【背景技術】
【０００２】
磁気テープは、オーディオテープ、ビデオテープ、コンピューターテープなど様々な用途があるが、特にコンピューターのデータバックアップに使用されるデータバックアップ用テープの分野では、バックアップ対象となるハードディスクの大容量化に伴い、１巻当たり数百ＧＢの記憶容量のものが商品化されている。今後、ハードディスクのさらなる大容量化に対応するため、バックアップテープの高容量化は不可欠である。
【０００３】
磁気テープのさらなる高容量化を図るために、特許文献１には磁気テープの両面に情報を記録可能な磁性層を形成する技術が開示されている。また、特許文献２には、両面に磁性層を有する磁気テープに対して情報を記録再生可能な構成が開示されている。
【特許文献１】特開２００５−１８２９６６号公報
【特許文献２】特開２００５−２５１３２３号公報
【発明の開示】
【発明が解決しようとする課題】
【０００４】
しかしながら特許文献２に開示されている構成では、磁気ヘッドが２個必要であるため、コストアップにつながるとともに、装置の小型化を阻害するという問題がある。
【０００５】
本発明の目的は、両面に磁性層を有する磁気テープに対して情報を記録再生可能な構成を、低コストかつ小型に実現することができる磁気テープ装置を提供することである。
【課題を解決するための手段】
【０００６】
本発明の磁気テープ装置は、リールに巻き回されかつ両面に磁性層が形成された磁気テープに、情報を記録再生可能な磁気テープ装置であって、前記リールを装着可能なリール装着部と、前記リールから引き出された前記磁気テープを巻き取り可能な巻き取りリールと、前記リール装着部と前記巻き取りリールとの間に配され、前記磁気テープに情報を記録再生可能な単一の磁気ヘッドと、前記リールから前記磁気テープを引き出し、引き出した前記磁気テープが所定の走行経路を形成するように前記磁気テープを所定位置に配置させるローディング手段とを備え、前記ローディング手段は、前記磁気テープの一方の磁性面が前記磁気ヘッドに当接可能な位置に、前記磁気テープを配置させた第１の走行経路と、前記磁気テープの他方の磁性面が前記磁気ヘッドに当接可能な位置に、前記磁気テープを配置させた第２の走行経路とを、選択的に形成可能としたものである。
【発明の効果】
【０００７】
本発明によれば、両面に磁性層を有する磁気テープに対して情報を記録再生する構成を、低コストかつ小型に実現することができる。
【発明を実施するための最良の形態】
【０００８】
本発明の磁気テープ装置において、前記ローディング手段は、前記第１の走行経路と前記第２の走行経路とにおいて、前記巻き取りリールに対する前記磁気テープの巻き取り方向が同一になるように、前記磁気テープを配置可能とした構成とすることができる。このような構成とすることで、巻き取りリールの駆動制御が容易になる。
【０００９】
（実施の形態１）
図１Ａ及び図１Ｂは、実施の形態１における磁気テープ装置の構成を示す模式図である。図１Ａは第１のテープパス（第１の走行経路）を示し、図１Ｂは第２のテープパス（第２の走行経路）を示す。
【００１０】
磁気テープ装置１は、巻き取りリール２、磁気ヘッド３、ガイドローラ４ａ〜４ｄ、リール台（不図示）を備えている。また、磁気テープ装置１における所定の位置に磁気テープカートリッジ１２が装填されてから、リール台がリール１３を装着し、リール１３の回転準備が整う。また、磁気テープ装置１は、装着された磁気テープカートリッジ１２から磁気テープ１１を引き出し、所定のテープパスを形成して、巻き取りリール２へ案内するローディング機構を備えている。なお、ローディング機構の具体的な構成は、例えばＬＴＯ規格（LTO:Liner Tape Open）に準拠したテープドライブにおいて一般的に用いられている機構であるため、本明細書での詳しい説明は省略する。また、ローディング機構は、ローディング手段の一例である。また、リール台は、リール装着部の一例である。
【００１１】
巻き取りリール２は、磁気テープカートリッジ１２から引き出された磁気テープ１１を巻き回し、モータなどの駆動手段によって矢印ＣまたはＤに示す方向に回転させることで、磁気テープ１１を矢印ＡまたはＢに示す方向へ走行させることができる。
【００１２】
磁気ヘッド３は、磁気テープ１１が摺接し、データ信号などの各種情報を記録再生することができる。本実施の形態の磁気テープ装置１には、単一の磁気ヘッド３を備えている。なお、磁気ヘッド３は、単一のヘッドチップを備えていてもよいし、複数のヘッドチップを備えていてもよく、いずれの構成においても得られる作用効果は同一である。単一のヘッドチップを備えた構成は、例えばオーディオ機器の一種であるテープレコーダーである。また、複数のヘッドチップを備えた構成は、例えばコンピューターバックアップ用途に用いられているデータレコーダーである。
【００１３】
ガイドローラ４ａ〜４ｄは、磁気テープ１１のパスを形成するためのものであり、本実施の形態では巻き取りリール２の周囲に配されている。なお、ガイドローラ４ａ〜４ｄは、磁気テープ１１のテープパスを形成する手段であるため、ローディング手段の一例である。
【００１４】
磁気テープ１１は、特許文献１に開示されているように、各種情報を記録することができる磁性層を両面に有する。磁気テープカートリッジ１２は、磁気テープ１１を巻き回すことが可能なリール１３を内蔵し、磁気テープ１１を収容可能に構成されている。なお、磁気テープ１１において、リール１３に巻き回されている状態で、ベースフィルムに対してリール１３の回転軸側に形成されている磁性面が第１の磁性面１１ａであり、第１の磁性面１１ａの裏面が第２の磁性面１１ｂである。
【００１５】
まず、磁気テープ１１の第１の磁性面１１ａに情報を記録再生する場合は、図１Ａに示す第１のテープパスを形成する。具体的には、磁気テープカートリッジ１２内に位置している磁気テープ１１の先端をローディング機構（不図示）が保持して、磁気テープカートリッジ１２内から磁気テープ１１を引き出す。引き出された磁気テープ１１は、ガイドローラ４ａ、ガイドローラ４ｂ、ガイドローラ４ｃ、磁気ヘッド３、ガイドローラ４ｄの順に巻き付けあるいは当接するように案内され、最終的に巻き取りリール２に巻き回される。
【００１６】
この状態で、巻き取りリール２を矢印Ｄに示す方向に回転させることで、磁気テープ１１を矢印Ａに示す方向へ走行させることができ、磁気ヘッド３によって第１の磁性面１１ａに情報を記録再生することができる。また、巻き取りリール２を矢印Ｃに示す方向に回転させることで、磁気テープ１１を矢印Ｂに示す方向へ走行させることができ、磁気ヘッド３によって第１の磁性面１１ａに情報を記録再生することができる。
【００１７】
次に、磁気テープ１１の第２の磁性面１１ｂに情報を記録再生する場合は、図１Ｂに示す第２のテープパスを形成する。具体的には、磁気テープカートリッジ１２内に位置している磁気テープ１１の先端をローディング機構（不図示）が保持して、磁気テープカートリッジ１２内から磁気テープ１１を引き出す。引き出された磁気テープ１１は、ガイドローラ４ａ、ガイドローラ４ｄ、磁気ヘッド３、ガイドローラ４ｃの順に巻き付けあるいは当接するように案内され、最終的に巻き取りリール２に巻き回される。
【００１８】
この状態で、巻き取りリール２を矢印Ｃに回転させることで、磁気テープ１１を矢印Ａに示す方向へ走行させることができ、磁気ヘッド３によって第２の磁性面１１ｂに情報を記録再生することができる。また、巻き取りリール２を矢印Ｄに示す方向に回転させることで、磁気テープ１１を矢印Ｂに示す方向へ走行させることができ、磁気ヘッド３によって第２の磁性面１１ｂに情報を記録再生することができる。
【００１９】
以上のように本実施の形態によれば、磁気テープ１１の第１の磁性面１１ａに情報を記録再生する時は図１Ａに示す第１のテープパスを形成し、第２の磁性面１１ｂに情報を記録再生する時は図１Ｂに示す第２のテープパスを形成する構成としたことにより、磁気ヘッド３が１つで済むため、コストダウンをすることができるとともに、磁気テープ装置１の小型化を実現することができる。
【００２０】
なお、図１Ａ及び図１Ｂに示す構成では、磁気ヘッド３はテープパスの外側に配置されているが、テープパスの内側（ガイドローラ４ｃと４ｄの間で、かつ図１Ａに示す状態の時に磁気テープ１１の第２の磁性面１１ｂに対向する側）に配置されていても、同様に機能させることができる。このような構成とすることで、磁気テープ装置１をさらに小型化することができる。
【００２１】
（実施の形態２）
図２Ａ及び図２Ｂは、実施の形態２における磁気テープ装置の構成を示す模式図である。図２Ａは第１のテープパスを示し、図２Ｂは第２のテープパスを示す。なお、図２Ａ及び図２Ｂにおいて、図１Ａ及び図１Ｂに示す構成と同様の構成については同一符号を付与して、詳しい説明は省略する。実施の形態２において、実施の形態１に示す構成と異なるのは、第２のテープパスの形態である。したがって、以下の説明では、第１のテープパスの説明は省略し、第２のテープパスについてのみ説明する。
【００２２】
磁気テープ１１の第２の磁性面１１ｂに情報を記録再生する場合は、図２Ｂに示す第２のテープパスを形成する。具体的には、磁気テープカートリッジ１２内に位置している磁気テープ１１の先端をローディング機構（不図示）が保持して、磁気テープカートリッジ１２内から磁気テープ１１を引き出す。引き出された磁気テープ１１は、ガイドローラ４ａ、ガイドローラ４ｄ、磁気ヘッド３、ガイドローラ４ｃの順に巻き付けあるいは当接するように案内され、最終的に巻き取りリール２に巻き回される。
【００２３】
ここで、実施の形態２では、巻き取りリール２における磁気テープ１１の巻き取り方向が、実施の形態１とは異なる。実施の形態１では、第１のテープパス（図１Ａ）において磁気テープ１１を巻き取る際は、巻き取りリール２を矢印Ｄに示す方向に回転させ、第２のテープパス（図１Ｂ）において磁気テープ１１を巻き取る際は、巻き取りリール２を矢印Ｃに示す方向に回転させていた。一方、実施の形態２では、図２Ａに示す第１のテープパス、図２Ｂに示す第２のテープパスの両方について、巻き取りリール２を矢印Ｄに示す方向に回転させることで磁気テープ１１を巻き取ることができるように構成されている。
【００２４】
磁気テープ１１の先端が巻き取りリール２に保持された状態で、磁気テープ１１を矢印Ａに示す方向に走行させる際は、巻き取りリール２を矢印Ｄに示す方向に回転させる。また、磁気テープ１１を矢印Ｂに示す方向に走行させる際は、巻き取りリール２を矢印Ｃに示す方向に回転させる。この磁気テープ１１の走行方向と巻き取りリール２の回転方向との関係は、第１のテープパスおよび第２のテープパスの両方において同一である。
【００２５】
以上のように本実施の形態によれば、巻き取りリール２における磁気テープ１１の巻き取り方向が、第１のテープパス、第２のテープパスの両方において同一方向であるため、巻き取りリール２の駆動制御を簡素化することができる。
【００２６】
なお、図２Ａ及び図２Ｂに示す構成では、磁気ヘッド３はテープパスの外側に配置されているが、テープパスの内側（ガイドローラ４ｃと４ｄの間で、かつ図２Ａに示す状態の時に磁気テープ１１の第２の磁性面１１ｂに対向する側）に配置されていても、同様に機能させることができる。このような構成とすることで、磁気テープ装置１をさらに小型化することができる。
【００２７】
（実施の形態３）
図３Ａ及び図３Ｂは、実施の形態３における磁気テープ装置の構成を示す模式図である。図３Ａは第１のテープパスを示し、図３Ｂは第２のテープパスを示す。なお、図３Ａ及び図３Ｂにおいて、図１Ａ及び図１Ｂに示す構成と同様の構成については同一符号を付与して、詳しい説明は省略する。
【００２８】
実施の形態３において、実施の形態１に示す構成と異なるのは、ガイドローラ及び磁気ヘッドの配置である。図３Ａ及び図３Ｂにおいて、磁気ヘッド３３は、図１Ａ等に示す磁気ヘッド３と比べて、配置箇所が異なるだけで機能は同一である。また、磁気ヘッド３３は、磁気テープ１１が第１のテープパスを形成している時に最適なスペーシングとなるような位置に配されており、このような磁気ヘッド３３の配置で磁気テープ１１が第２のテープパスを形成すると、磁気ヘッド３３に対する磁気テープ１１の巻き付け角は大きくなるが正常に情報の記録再生を行うことができる。ガイドローラ３４ａ〜３４ｄは、図１Ａ等に示すガイドローラ４ａ〜４ｄに比べて、配置箇所が異なるだけで機能は同一である。また、本実施の形態では、ガイドローラ３４ｅを追加している。
【００２９】
まず、磁気テープ１１の第１の磁性面１１ａに情報を記録再生する場合は、図３Ａに示す第１のテープパスを形成する。具体的には、磁気テープカートリッジ１２内に位置している磁気テープ１１の先端をローディング機構（不図示）が保持して、磁気テープカートリッジ１２内から磁気テープ１１を引き出す。引き出された磁気テープ１１は、ガイドローラ３４ａ、ガイドローラ３４ｃ、磁気ヘッド３３、ガイドローラ３４ｅの順に巻き付けあるいは当接するように案内され、最終的に巻き取りリール２に巻き回される。
【００３０】
この状態で、巻き取りリール２を矢印Ｃに示す方向に回転させることで、磁気テープ１１を矢印Ａに示す方向へ走行させることができ、磁気ヘッド３３によって第１の磁性面１１ａに情報を記録再生することができる。また、巻き取りリール２を矢印Ｄに示す方向に回転させることで、磁気テープ１１を矢印Ｂに示す方向へ走行させることができ、磁気ヘッド３３によって第１の磁性面１１ａに情報を記録再生することができる。
【００３１】
次に、磁気テープ１１の第２の磁性面１１ｂに情報を記録再生する場合は、図３Ｂに示す第２のテープパスを形成する。具体的には、磁気テープカートリッジ１２内に位置している磁気テープ１１の先端をローディング機構（不図示）が保持して、磁気テープカートリッジ１２内から磁気テープ１１を引き出す。引き出された磁気テープ１１は、ガイドローラ３４ａ、ガイドローラ３４ｂ、ガイドローラ３４ｄ、磁気ヘッド３３、ガイドローラ３４ｃの順に巻き付けあるいは当接するように案内され、最終的に巻き取りリール２に巻き回される。
【００３２】
この状態で、巻き取りリール２を矢印Ｃに回転させることで、磁気テープ１１を矢印Ａに示す方向へ走行させることができ、磁気ヘッド３３によって第２の磁性面１１ｂに情報を記録再生することができる。また、巻き取りリール２を矢印Ｄに示す方向に回転させることで、磁気テープ１１を矢印Ｂに示す方向へ走行させることができ、磁気ヘッド３３によって第２の磁性面１１ｂに情報を記録再生することができる。
【００３３】
以上のように本実施の形態によれば、磁気テープ１１の第１の磁性面１１ａに情報を記録再生する時は図３Ａに示す第１のテープパスを形成し、第２の磁性面１１ｂに情報を記録再生する時は図３Ｂに示す第２のテープパスを形成する構成としたことにより、磁気ヘッド３３が１つで済むため、コストダウンをすることができるとともに、磁気テープ装置３１の小型化を実現することができる。
【００３４】
また、本実施の形態の磁気テープ装置について、実際に磁気テープを走行させて走行性のシミュレーションを行ったところ、実施の形態１及び２に示すテープパスよりも走行性が優れていることがわかった。なお、シミュレーションの方法は、例えばガイドローラ間のテープを梁と見立てたモデルを用いて、有限要素法により計算を行う。テープは１／２インチ幅として、この時の（有限要素法での計算における分割）メッシュは１μｍ四方の正方形を用いた。上記のような方法でシミュレーションを行ったところ、本実施の形態では、磁気ヘッド上でのＬＴＭ（テープ幅方向の変動）が２．０μｍから１．５μｍに減少（２５％ダウン）し、走行性が優れていることがわかった。
【００３５】
また、巻き取りリール２における磁気テープ１１の巻き取り方向が、第１のテープパス、第２のテープパスの両方において同一方向であるため、巻き取りリール２の駆動制御を簡素化することができる。
【産業上の利用可能性】
【００３６】
本発明は、磁気テープに情報を記録再生可能な磁気テープ装置に有用である。
【図面の簡単な説明】
【００３７】
【図１Ａ】実施の形態１における磁気テープ装置の模式図（第１のテープパス）
【図１Ｂ】実施の形態１における磁気テープ装置の模式図（第２のテープパス）
【図２Ａ】実施の形態２における磁気テープ装置の模式図（第１のテープパス）
【図２Ｂ】実施の形態２における磁気テープ装置の模式図（第２のテープパス）
【図３Ａ】実施の形態３における磁気テープ装置の模式図（第１のテープパス）
【図３Ｂ】実施の形態３における磁気テープ装置の模式図（第２のテープパス）
【符号の説明】
【００３８】
１，３１  磁気テープ装置
２  巻き取りリール
３，３３  磁気ヘッド
４ａ，４ｂ，４ｃ，４ｄ，３４ａ，３４ｂ，３４ｃ，３４ｄ，３４ｅ  ガイドローラ
【図１Ａ】
2009140536.tif 000003
【図１Ｂ】
2009140536.tif 000004
【図２Ａ】
2009140536.tif 000005
【図２Ｂ】
2009140536.tif 000006
【図３Ａ】
2009140536.tif 000007
【図３Ｂ】
2009140536.tif 000008